(57)【要約】  本発明は、アップリンク伝送リソースのスケジューリング及びアップリンク伝送方法、装置を開示した。非許可キャリアにおけるアップリンク伝送リソースの予定を実現し、ＵＥが前記予定リソースにおいてアップリンク信号を伝送せず、スケジューリングされたＵＥがチャネルへアクセスへ妨害し、非許可キャリア上のアップリンク伝送リソースの時分割多重化を実現することもできる。本発明に係るアップリンク伝送リソースのスケジューリング方法は、基地局は、アップリンクサブフレームにおける予定リソースを決定し、前記予定リソースは、非許可キャリア上の伝送リソースであるステップと、前記基地局は、ＵＥに前記アップリンクサブフレームにおける予定リソースの通知を送信するステップとを備える。【選択図】図６
2018528721.tif 000002
【特許請求の範囲】
【請求項１】
基地局は、アップリンクサブフレームにおける予定リソースを決定するステップであって、前記予定リソースは、非許可キャリア上の伝送リソースであるステップと、
前記基地局は、ＵＥに前記アップリンクサブフレームにおける予定リソースの通知を送信するステップとを備えることを特徴とするアップリンク伝送リソースのスケジューリング方法。
【請求項２】
前記基地局は、半静的または動的モードにより、ＵＥに前記アップリンクサブフレームにおける予定リソースの通知を送信することを特徴とする請求項１に記載のアップリンク伝送リソースのスケジューリング方法。
【請求項３】
前記基地局が、ＵＥに前記アップリンクサブフレームにおける予定リソースの通知を送信するステップは、
前記基地局が半静的モードにより、ＵＥに前記アップリンクサブフレームにおける予定リソースの通知を送信する場合、前記基地局は、非物理層シグナリングにより、ＵＥに前記アップリンクサブフレームにおける予定リソースの通知を送信し、
前記基地局が動的モードによりＵＥに前記アップリンクサブフレームにおける予定リソースの通知を送信する場合、前記基地局は、物理層シグナリングにより、ＵＥに前記アップリンクサブフレームにおける予定リソースの通知を送信することを特徴とする請求項２に記載のアップリンク伝送リソースのスケジューリング方法。
【請求項４】
前記予定リソースは、ＵＥによるＬＢＴ動作に用いられることを特徴とする請求項１に記載のアップリンク伝送リソースのスケジューリング方法。
【請求項５】
前記通知には、ＵＥがアップリンクサブフレームにおいてリソースを予定すべきことを示す指示情報と、
前記予定リソースの所在のアップリンクサブフレーム、及びアップリンクサブフレームにおける位置と、
予定リソースを含むアップリンクサブフレームにおける予定リソースのサイズと
のうちの１つまたは、任意の組み合わせが含まれることを特徴とする請求項１に記載のアップリンク伝送リソースのスケジューリング方法。
【請求項６】
前記予定リソースは、少なくとも１つのアップリンクサブフレームのヘッドまたはテールに位置することを特徴とする請求項１に記載のアップリンク伝送リソースのスケジューリング方法。
【請求項７】
ＵＥは、アップリンクサブフレームにおける予定リソースを決定するステップであって、前記予定リソースは、非許可キャリア上の伝送リソースである前記決定ステップと、
前記ＵＥは、前記予定リソースにおいてアップリンク信号を伝送しないと決定するステップとを備えることを特徴とするアップリンク伝送方法。
【請求項８】
前記ＵＥは、チャネルへアクセスしていない場合、前記予定リソースにおいてＬＢＴ動作を行うか、
または、前記ＵＥは、チャネルへアクセスした場合、基地局によりスケジューリングされたアップリンクリソースにおいてアップリンク信号を伝送することを特徴とする請求項７に記載のアップリンク伝送方法。
【請求項９】
前記アップリンクサブフレームにおける予定リソースは、予め設定されたものであり、
または、前記ＵＥは、基地局が半静的または動的モードにより送信した前記アップリンクサブフレームにおける予定リソースの通知を受信し、前記通知により、前記アップリンクサブフレームにおける予定リソースを決定することを特徴とする請求項７に記載のアップリンク伝送方法。
【請求項１０】
アップリンクサブフレームにおける予定リソースを決定し、前記予定リソースが非許可キャリア上の伝送リソースである予定ユニットと、
ＵＥに前記アップリンクサブフレームにおける予定リソースの通知を送信する通知ユニットとを備えることを特徴とするアップリンク伝送リソースのスケジューリング装置。
【請求項１１】
前記通知ユニットは、半静的または動的モードにより、ＵＥに前記アップリンクサブフレームにおける予定リソースの通知を送信することを特徴とする請求項１０に記載のアップリンク伝送リソースのスケジューリング装置。
【請求項１２】
前記通知ユニットは、
半静的モードにより、ＵＥに前記アップリンクサブフレームにおける予定リソースの通知を送信するする場合、前記通知ユニットは、非物理層シグナリングにより、ＵＥに前記アップリンクサブフレームにおける予定リソースの通知を送信し、
動的モードにより、ＵＥに前記アップリンクサブフレームにおける予定リソースの通知を送信する場合、前記通知ユニットは、物理層シグナリングにより、ＵＥに前記アップリンクサブフレームにおける予定リソースの通知を送信することを特徴とする請求項１１に記載のアップリンク伝送リソースのスケジューリング装置。
【請求項１３】
前記予定リソースは、ＵＥによるＬＢＴ動作に用いられることを特徴とする請求項１０に記載のアップリンク伝送リソースのスケジューリング装置。
【請求項１４】
前記通知には、
ＵＥがアップリンクサブフレームにおいてリソースを予定すべきことを示す指示情報と、
前記予定リソースの所在のアップリンクサブフレーム、及びアップリンクサブフレームにおける位置と、
予定リソースを含むアップリンクサブフレームにおける予定リソースのサイズと
のうちの１つまたは、任意の組み合わせが含まれることを特徴とする請求項１０に記載のアップリンク伝送リソースのスケジューリング装置。
【請求項１５】
前記予定リソースは、少なくとも１つのアップリンクサブフレームのヘッドまたはテールに位置することを特徴とする請求項１０に記載のアップリンク伝送リソースのスケジューリング装置。
【請求項１６】
アップリンクサブフレームにおける予定リソースを決定し、前記予定リソースは、非許可キャリア上の伝送リソースである第１ユニットと、
前記予定リソースにおいてアップリンク信号を伝送しないと決定する第２ユニットとを備えることを特徴とするアップリンク伝送装置。
【請求項１７】
前記第２ユニットは、
前記装置の所属のＵＥがチャネルへアクセスしていない場合、前記予定リソースにおいてＬＢＴ動作を行い、
または、前記装置の所属のＵＥがチャネルへアクセスした場合、基地局によりスケジューリングされたアップリンクリソースにおいてアップリンク信号を伝送することを特徴とする請求項１６に記載のアップリンク伝送装置。
【請求項１８】
前記第１ユニットにより決定された前記アップリンクサブフレームにおける予定リソースは、予め設定されたものであり、
または、前記第１ユニットは、基地局が半静的または動的モードにより送信した前記アップリンクサブフレームにおける予定リソースの通知を受信し、前記通知により、前記アップリンクサブフレームにおける予定リソースを決定することを特徴とする請求項１６に記載のアップリンク伝送装置。
【発明の詳細な説明】
【技術分野】
【０００１】
本出願は、２０１５年９月２５日に中国特許局に提出し、出願番号が２０１５１０６２５０３７.８であり、発明名称が「アップリンク伝送リソースのスケジューリング及アップリンク伝送方法、装置」との中国特許出願を基礎とする優先権を主張し、その開示の総てをここに取り込む。
【０００２】
本発明は、技術分野に関し、特にアップリンク伝送リソースのスケジューリング及びアップリンク伝送方法、装置に関する。
【背景技術】
【０００３】
移動データトラヒックの増加に伴い、スペクトラムリソースの不足が日々厳しくなり、許可のスペクトラムリソースのみでネットワークを配備し及びトラヒックを伝送することは、もうトラヒックへのニーズに応答できなくなった。ＬＴＥ（ｌｏｎｇ Ｔｅｒｍ Ｅｖｏｌｕｔｉｏｎ）システムの場合、非許可スペクトラムリソースにおいて、伝送を配備することを考えてもよい。このようなＬＴＥシステムをＵ−ＬＴＥまたはＬＴＥ−Ｕ（Ｕｎｌｉｃｅｎｓｅｄ ＬＴＥ，非許可ＬＴＥ）システムと称することができる。こうして、ユーザー体験及びカバーエリアを拡大する。しかしながら、ＬＴＥシステムが非許可スペクトラムリソースにおいてどのように動作するのかは、まだ案出されていない。
【０００４】
非許可スペクトラムは、具体的な応用システムを限定せず、ブルートゥース（登録商標）、ＷＩＦＩ等複数の無線通信システムより共有されることができ、多様なシステムの間、リソース競争の方式により共有の非許可スペクトラムリソースを利用する。
【０００５】
異なる運用者により配置した非許可ＬＴＥ（ＬＴＥ−Ｕｎｌｉｃｅｎｓｅｄ、ＬＴＥ−Ｕと略称し、Ｌｏｎｇ Ｔｅｒｍ Ｅｖｏｌｕｔｉｏｎ、ＬＴＥと略称）の間、及びＬＴＥ−Ｕ、ＷｉＦｉなどの無線通信システムがＣＳＭＡ/ＣＡスペクトルリソースを共有するモードは、研究の重点と難点となっている。３ＧＰＰは、無線通信システムの間の公平・共存の確保を求め、ＣＳＭＡ/ＣＡ周波帯がセカンダリ・キャリアとして許可周波帯のプライマリ・キャリアアの補助により実施できる。許可周波帯ＬＴＥと異なり、非許可周波帯ＬＴＥ−ＵのＵＥは、データを送信する前、ＬＢＴ (Ｌｉｓｔｅｎ Ｂｅｆｏｒｅ Ｔａｌｋ)動作を執行する必要があり、非許可周波帯において時分割多重化を行う場合、信号送信中のＵＥ（Ｕｓｅｒ Ｅｑｕｉｐｍｅｎｔ）は、当然に、後ろのＵＥがチャネルへアクセスするようにスケジューリングすることを防ぐ。
【０００６】
よって、従来技術において、非許可スペクトラムリソースのスケジューリング及び利用する方法は、まだ案出されていない。
【発明の概要】
【発明が解決しようとする課題】
【０００７】
本発明に係る実施例は、アップリンク伝送リソースのスケジューリング及びアップリンク伝送方法、装置を提供し、非許可キャリアにおけるアップリンク伝送リソースの予定を実現し、ＵＥが前記予定リソースにおいてアップリンク信号を伝送せず、スケジューリングされたＵＥがチャネルへアクセスへ妨害し、非許可キャリア上のアップリンク伝送リソースの時分割多重化を実現することもできる。
【課題を解決するための手段】
【０００８】
本発明の実施例に係るアップリンク伝送リソースのスケジューリング方法は、
基地局は、アップリンクサブフレームにおける予定リソースを決定するステップであって、前記予定リソースは、非許可キャリア上の伝送リソースである前記決定ステップと、
前記基地局は、ＵＥに前記アップリンクサブフレームにおける予定リソースの通知を送信するステップとを備える。
【０００９】
当該方法によれば、基地局は、アップリンクサブフレームにおける予定リソースを決定し、前記予定リソースは、非許可キャリア上の伝送リソースであり、前記基地局は、ＵＥに前記アップリンクサブフレームにおける予定リソースの通知を送信する。こうして、非許可キャリアにおけるアップリンク伝送リソーの予定を実現し、ＵＥが前記予定リソースにおいてアップリンク信号を伝送せず、スケジューリングされたＵＥがチャネルへアクセスへ妨害し、非許可キャリア上のアップリンク伝送リソースの時分割多重化を実現することもできる。
【００１０】
オプションとして、前記基地局は、半静的または動的モードにより、ＵＥに前記アップリンクサブフレームにおける予定リソースの通知を送信する。
【００１１】
オプションとして、前記基地局が半静的モードにより、ＵＥに前記アップリンクサブフレームにおける予定リソースの通知を送信する場合、前記基地局は、非物理層シグナリングにより、ＵＥに前記アップリンクサブフレームにおける予定リソースの通知を送信するステップと、
前記基地局が動的モードによりＵＥに前記アップリンクサブフレームにおける予定リソースの通知を送信する場合、前記基地局は、物理層シグナリングにより、ＵＥに前記アップリンクサブフレームにおける予定リソースの通知を送信する。
【００１２】
オプションとして、前記予定リソースは、ＵＥによるＬＢＴ動作に用いられる。
【００１３】
オプションとして、前記通知には、ＵＥがアップリンクサブフレームにおいてリソースを予定すべきことを示す指示情報と、
前記予定リソースの所在のアップリンクサブフレーム、及びアップリンクサブフレームにおける位置と、
予定リソースを含むアップリンクサブフレームにおける予定リソースのサイズと情報のうちの１つまたは、任意の組み合わせが含まれる。
【００１４】
オプションとして、前記予定リソースは、少なくとも１つのアップリンクサブフレームのヘッドまたはテールに位置する。
【００１５】
本発明の実施例に係るアップリンク伝送方法は、
ＵＥは、アップリンクサブフレームにおける予定リソースを決定するステップであって、前記予定リソースは、非許可キャリア上の伝送リソースである前記決定ステップと、
前記ＵＥは、前記予定リソースにおいてアップリンク信号を伝送しないと決定するステップとを備える。
【００１６】
オプションとして、前記方法は、
前記ＵＥは、チャネルへアクセスしていない場合、前記予定リソースにおいてＬＢＴ動作を行うか、
または、前記ＵＥは、チャネルへアクセスした場合、基地局によりスケジューリングされたアップリンクリソースにおいてアップリンク信号を伝送する。
【００１７】
オプションとして、前記アップリンクサブフレームにおける予定リソースは、予め設定されたものであり、
または、前記ＵＥは、基地局が半静的または動的モードにより送信した前記アップリンクサブフレームにおける予定リソースの通知を受信し、前記通知により、前記アップリンクサブフレームにおける予定リソースを決定する。
【００１８】
本発明の実施例に係るアップリンク伝送リソースのスケジューリング装置は、
アップリンクサブフレームにおける予定リソースを決定し、前記予定リソースが、非許可キャリア上の伝送リソースである予定ユニットと、
ＵＥに前記アップリンクサブフレームにおける予定リソースの通知を送信する通知ユニットとを備える。
【００１９】
オプションとして、前記通知ユニットは、半静的または動的モードにより、ＵＥに前記アップリンクサブフレームにおける予定リソースの通知を送信する。
【００２０】
オプションとして、前記通知ユニットが半静的モードによりＵＥに前記アップリンクサブフレームにおける予定リソースの通知を送信する場合、前記通知ユニットは、非物理層シグナリングにより、ＵＥに前記アップリンクサブフレームにおける予定リソースの通知を送信し、
前記通知ユニットが動的モードにより、ＵＥに前記アップリンクサブフレームにおける予定リソースの通知を送信する場合、前記通知ユニットは、物理層シグナリングにより、ＵＥに前記アップリンクサブフレームにおける予定リソースの通知を送信する。
【００２１】
オプションとして、前記予定リソースは、ＵＥによるＬＢＴ動作に用いられる。
【００２２】
オプションとして、前記通知には、下記の情報のうちの１つまたは、任意の組み合わせが含まれる：
ＵＥがアップリンクサブフレームにおいてリソースを予定すべきことを示す指示情報と、
前記予定リソースの所在のアップリンクサブフレーム、及びアップリンクサブフレームにおける位置と、
予定リソースを含むアップリンクサブフレームにおける予定リソースのサイズ。
【００２３】
オプションとして、前記予定リソースは、少なくとも１つのアップリンクサブフレームのヘッドまたはテールに位置する。
【００２４】
本発明の実施例に係るアップリンク伝送装置は、
アップリンクサブフレームにおける予定リソースを決定し、前記予定リソースが非許可キャリア上の伝送リソースである第１ユニットと、
前記予定リソースにおいてアップリンク信号を伝送しないと決定する第２ユニットとを備える。
【００２５】
オプションとして、前記第２ユニットは、
前記装置の所属のＵＥがチャネルへアクセスしていない場合、前記予定リソースにおいてＬＢＴ動作を行い、
または、前記装置の所属のＵＥがチャネルへアクセスした場合、基地局によりスケジューリングされたアップリンクリソースにおいてアップリンク信号を伝送する。
【００２６】
オプションとして、前記第１ユニットにより決定された前記アップリンクサブフレームにおける予定リソースは、予め設定されたものであり、
または、前記第１ユニットは、基地局が半静的または動的モードにより送信した前記アップリンクサブフレームにおける予定リソースの通知を受信し、前記通知により、前記アップリンクサブフレームにおける予定リソースを決定する。
【図面の簡単な説明】
【００２７】
【図１】本発明に係る実施例の、ＷＩＦＩシステムにおいて、非許可スペクトラム上のリソース競合を示す図である。
【図２】本発明の実施例に係るチャネルアクセスメカニズムを示す図である。
【図３】本発明の実施例に係る他のチャネルアクセスメカニズムを示す図である。
【図４】本発明に係る実施例のタイプ１のフレーム構造図である。
【図５】本発明に係る実施例の、タイプ２のフレーム構造図である。
【図６】本発明の実施例に係るアップリンク伝送リソースのスケジューリング方法のフローチャートである。
【図７】本発明の実施例に係るアップリンク伝送方法のフローチャートである。
【図８】本発明に係る実施例の静的な設定モードにより決定された予定リソースを示す図である。
【図９】本発明に係る実施例の静的な設定モードにより決定された予定リソースを示す図である。
【図１０】本発明に係る実施例の動的な設定モードにより決定された予定リソースを示す図である。
【図１１】本発明の実施例に係るアップリンク伝送リソースのスケジューリング装置の構造図である。
【図１２】本発明の実施例に係るアップリンク伝送装置の構造図である。
【図１３】本発明の実施例に係る他のアップリンク伝送リソースのスケジューリング装置の構造図である。
【図１４】本発明の実施例に係る他のアップリンク伝送装置の構造図である。
【発明を実施するための形態】
【００２８】
本発明に係る実施例は、アップリンク伝送リソースのスケジューリング及びアップリンク伝送方法、装置を提供し、非許可キャリアにおけるアップリンク伝送リソースの予定を実現し、ＵＥが前記予定リソースにおいてアップリンク信号を伝送せず、スケジューリングされたＵＥがチャネルへアクセスへ妨害し、非許可キャリア上のアップリンク伝送リソースの時分割多重化を実現することもできる。
【００２９】
本発明に係る実施例のＬＢＴは、ＬＴＥ−Ｕ競合アクセスの基本手段である。ＬＢＴ技術は,本質的に８０２.１１システムに採用されるＣＳＭＡ/ＣＡ （Ｃａｒｒｉｅｒ Ｓｅｎｓｅ Ｍｕｌｔｉｐｌｅ Ａｃｃｅｓｓ/ Ｃｏｌｌｉｓｉｏｎ Ａｖｏｉｄａｎｃｅ）メカニズムであり、ＷＩＦＩシステムが非許可スペクトラム上の競合リソースモードは、図１に示すように、まずは、チャネルをリスニングし、チャネルアイドル時間がＤＩＦＳ（ＤＣＦ Ｉｎｔｅｒ−Ｆｒａｍｅ Ｓｐａｃｅ、ＤＣＦＩＦＳ、ＤＣＦ: ｄｉｓｔｒｉｂｕｔｅｄ ｃｈａｎｎｅｌ ａｃｃｅｓｓ）に達する場合、現行チャネルをアイドルチャネルとして判断し、チャネルへのアクセスを待つ各々ステーションはランダムバックオフ段階に入ることにより、複数のステーションが同様なリソースにおける衝突を避けることができる。また、公平性を確保するため、それぞれのステーションは、ＣＳＭＡ/ＣＡスペクトルリソースを長期的に占有することができず、占有時間が所定時間に達したかまたはデータ伝送量が上限になると、占有されたＣＳＭＡ/ＣＡスペクトルリソースを解放して、他のＷＩＦＩまたはＬＴＥシステムがリソースを競合ようにする。
【００３０】
柔軟かつ公平的なアダプティヴ・チャネル・アクセスメカニズムを提供するため、ヨーロッパでは、非許可の５１５０-５３５０ＭＨｚと５４７０-５７２５ＭＨｚ周波帯において、ＬＢＴ（Ｌｉｓｔｅｎ Ｂｅｆｏｒｅ Ｔａｌｋ）技術の利用を要求されている。ＣＣＡ（Ｃｌｅａｒ Ｃｈａｎｎｅｌ Ａｓｓｅｓｓｍｅｎｔ，アイドルチャネル評価）は、エネルギー検出により、 現在チャネルに信号伝送の有無を判断して、チャネルが占有されているか否かを確定する。
【００３１】
ヨーロッパのＥＴＳＩは５ＧＨｚの非許可周波帯上のＬＢＴ野２つのモードを規定し、図２及び図３に示すように、フレームベースの（Ｆｒａｍｅ Ｂａｓｅｄ Ｅｑｕｉｐｍｅｎｔ）モード及びＦＢＥ（Ｌｏａｄ Ｂａｓｅｄ Ｅｑｕｉｐｍｅｎｔ，ロードベース設備）モードを規定した。
【００３２】
図２に示すように、FＢEアクセスが固定のフレーム構造位置においてＣＣＡ検査を行い、チャネルの１つのＣＣＡ周期（２０usより低くない）がアイドルであると判断すれば、即時にチャネルへアクセスし、データ伝送プロシージャを開始する。チャネル伝送時間がかかる時間が固定しており、最小１ms，最大１０msである。アイドル周期は、少なくともチャネルへの占有時間の５%であり、アイドル周期のテールのＣＣＡ時間において、設備は、新しいＣＣＡ検査を執行して、チャネルへ再度アクセスする。FＢEメカニズムにおいて、チャネルへの占有時間にアイドル（idle）周期を加えて、得られた固定値はフレーム周期（ｆｒａｍｅ ｐｅｒｉｏｄ）と呼ばれる。
【００３３】
図３にしめすように、ＬＢＥアクセスメカニズムは、ＷｉＦｉのＣＳＭＡ/ＣＡメカニズムと類似する。伝送たびに、チャネルを占有する時間及び及び始点が変化可能であり、チャネルを取得する前拡張ＣＣＡ検出を行うことが必要となる。まず、競合ウインドウ（Ｃｏｎｔｅｎｔｉｏｎ Ｗｉｎｄｏｗ、 ＣＷ）のサイズｑに基づいて、ランダム因子Ｎを生成して、チャネルアイドル時間がＣＣＡ時間（即ちｑ）のＮ倍になり、かつ、チャネルがアイドル状態となってからチャネルへアクセスして、データ伝送プロシージャを開始するチャネルを占有できる最大時間は１３ｍｓである。ＥＴＳＩ ＬＢＥは、オプション（ｏｐｔｉｏｎ）Ａとｏｐｔｉｏｎ Ｂに区分して、ＥＴＳＩ ｏｐｔｉｏｎ Ｂの競合ウインドウは、固定のであり、一番基本的なＬＢＥ形式である。 
【００３４】
ＬＴＥシステムは、FDD及びＴＤＤ２種のデュプレックスモードをサポートし、２種のデュプレックスモードに異なるフレーム構造を採用する。２種のフレーム構造の共通点として、各無線フレームは、１０個の１msサブフレームからなる。FDDシステムには、タイプ１のフレーム構造を採用し、図４に示すように、ＴＤＤシステムには、タイプ２のフレーム構造を採用し、図５に示す通りである。
【００３５】
３ＧＰＰには、現在４種のＬＢＴを定義した。
【００３６】
ＬＢＴ種類（ｃａｔｅｇｏｒｙ）１：ＬＢＴを要らない。
【００３７】
ＬＢＴ ｃａｔｅｇｏｒｙ ２：固定のバックオフ値を有し、データブロック（ｂｕｒｓｔ）を伝送する前、ランダムバックオフを要らず、単一のＣＣＡ検査を執行し、即ち、チャネルへアクセスし、FＢEは、ＬＢＴ ｃａｔｅｇｏｒｙ ２の特例である。
【００３８】
ＬＢＴ ｃａｔｅｇｏｒｙ ３とＬＢＴ ｃａｔｅｇｏｒｙ ４は、ともにCSＭＡ/CＡと類似するランダムバックオフ値を用い、ＬＢＴ ｃａｔｅｇｏｒｙ ３は、固定の競合ウインドウを採用し、ＥＴＳＩ LＢE ｏｐｔｉｏｎ ＢはＬＢＴ ｃａｔｅｇｏｒｙ ３に属する。
【００３９】
一方、ＬＢＴ ｃａｔｅｇｏｒｙ ４は、ＥＴＳＩ LＢE ｏｐｔｉｏｎ Ｂ訂正に基づき、ロードベース(load)のＬＢＴを採用し、競合ウインドウは、指数関数的に増大するか、または半静的に設定される。ＷｉＦｉにＣＳＭＡ/ＣＡアクセスメカニズムを採用する場合競合ウインドウが指数関数的に増大するため、ＬＴＥ−ＵとＷｉＦｉの公平な共存を実現するため、３ＧＰＰは、ＬＴＥ−Ｕのダウンリンク伝送において、ＬＢＴ類４を採用するように要求する。ＬＴＥ−ＵアップリンクＬＢＴ案の４つのｃａｔｅｇｏｒｙが全部可能であり、結論はまだない。
【００４０】
ＵＬ（アップリンク）伝送にどのようなチャネルアクセスメカニズムが採用されるかと係らず、スケジューリングさらたＵＥは、複数のアップリンク伝送サブフレームにおいて時分割多重化を行う必要がある。１シナリオにおいて、例えば、あるＵＥのアップリンクデータ送信時間が長い。例えば、複数のサブフレームを利用する。他の一部のＵＥのデータは、短い伝送時間、例えば、１サブフレームを要る。たのシナリオにおいて、ある地域または国により規定したＵＥの最大チャネルへの占有時間(Ｍａｘｉｍｕｍ ｃｈａｎｎｅｌ ｏｃｃｕｐｉｅｄ ｔｉｍｅ)が、所定のアップリンクサブフレーム数より低ければ、異なるＵＥのアップリンクサブフレームにおける時分割多重化は、解決すべき問題点となる。
【００４１】
許可周波帯ＬＴＥと異なり、非許可周波帯ＬＴＥ−ＵのＵＥがデータを送信する前ＬＢＴ動作を執行する必要がある。非許可周波帯において時分割多重化を行う場合、信号送信中のＵＥは、当然に、後ろのスケジューリングされたＵＥのチャネルへのアクセスへ、妨害となる。また、現在、ＬＴＥ−Ｕアップリンク伝送に、どのようにマルチＵＥの時分割多重化を執行し、時分割多重化の場合、どのように新しくクセスしたＵＥのために、ＬＢＴ予定リソースを設定するかは、まだ案出されたていない。
【００４２】
よって、本発明に係る実施例は、非許可周波帯において、ＵＬマルチＵＥの時分割多重化場合、ＵＥがＬＢＴまたは他の動作を行うためにリソースを予定する方法を提供する。
【００４３】
図６に示すように、本発明の実施例に係るアップリンク伝送リソースのスケジューリング方法は、下記のステップを備える。
【００４４】
Ｓ１０１において、基地局は、アップリンクサブフレームにおける予定リソースを決定し、予定リソースは、非許可キャリア上の伝送リソースである。
【００４５】
Ｓ１０２において、基地局は、ＵＥにアップリンクサブフレームにおける予定リソースの通知を送信する。
【００４６】
前記方法によれば，基地局は、アップリンクサブフレームにおける予定リソースを決定し、予定リソースは、非許可キャリア上の伝送リソースであり，基地局は、ＵＥにアップリンクサブフレームにおける予定リソースの通知を送信することにより、非許可キャリア上のアップリンク伝送リソースの予定を実現し、ＵＥが前記予定リソースにおいてアップリンク信号を伝送せず、スケジューリングされたＵＥがチャネルへアクセスへ妨害し、非許可キャリア上のアップリンク伝送リソースの時分割多重化を実現することもできる。
【００４７】
ここで、静的、半静的または動的モードにより、スケジューリングされたＵＥがＬＢＴなどの動作を執行するために、アップリンクサブフレームにおいて、リソースを予定する。
【００４８】
オプションとして、基地局は、半静的または動的モードにより、ＵＥにアップリンクサブフレームにおける予定リソースの通知を送信する。
【００４９】
オプションとして、基地局は、半静的モードにより、ＵＥにアップリンクサブフレームにおける予定リソースの通知を送信する場合、基地局は、非物理層シグナリングにより、ＵＥにアップリンクサブフレームにおける予定リソースの通知を送信する。
【００５０】
基地局は、動的モードにより、ＵＥにアップリンクサブフレームにおける予定リソースの通知を送信する場合、基地局は、物理層シグナリングにより、ＵＥにアップリンクサブフレームにおける予定リソースの通知を送信する。
【００５１】
オプションとして、予定リソースは、ＵＥによるＬＢＴ動作に用いられる。
【００５２】
オプションとして、通知には、以下情報のうちの１つ、または、任意の組み合わせを含む。
【００５３】
＊ＵＥがアップリンクサブフレームにおいてリソースを予定すべきことを示す指示情報。
【００５４】
＊予定リソースの所在のアップリンクサブフレーム、及びアップリンクサブフレームにおける位置。
【００５５】
＊予定リソースを含むアップリンクサブフレームにおける予定リソースのサイズ。
【００５６】
ここで、ＵＥがアップリンクサブフレームにおいてリソースを予定すべきことを示す指示情報，例えば、ＵＬ ｇｒａｎｔに１bitを追加して、ＵＥに今回のＵＬ ｇｒａｎｔのＰＵＳＣＨに、リソース(予定さらたシンボルリソース、例えば、最後の１つか、または、Ｎ個のシンボルか、直前の１つか、またはＮ個のシンボルが、全部適用する)を予定する必要があるかを通知する。
【００５７】
予定リソースを含むアップリンクサブフレームにおける予定リソースのサイズは、予め予定してもよく、シグナリングにより通知されてもよい。
【００５８】
オプションとして、予定リソースは、少なくとも１つのアップリンクサブフレームのヘッドまたはテールに位置する。予定リソースは、１アップリンクサブフレームに位置してもよく、複数のアップリンクサブフレームに位置してもよく、アップリンクサブフレームのヘッド、中間またはテールに位置することができる。
【００５９】
例えば，基地局とＵＥは、Ｎ個のサブフレームごとに、ＬＢＴサブフレーム及び当該ＬＢＴサブフレームにおけるＬＢＴようのリソース１回を設定し、勿論、均一の間隔ではないように、ＬＢＴサブフレームを設定してもよい。ＬＢＴサブフレームの数も１つに限られない。
【００６０】
これに応じて、ＵＥは、基地局の設定にしたがって、対応の予定リソースにおいて信号を送信しない。ＵＬ ｇｒａｎｔ（半静的スケジューリングまたは動的スケジューリングに採用されるシグナリング）を正確に受信した、スケジューリングさらたＵＥは、基地局により設定されたＬＢＴ用の予定リソースにおいて、ＬＢＴ動作を執行する。チャネルへアクセスしたＵＥは、スケジューリングさらたアップリンクリソースにおいて、アップリンク信号伝送を行う。
【００６１】
図７に示すように、本発明の実施例に係るアップリンク伝送方法は下記のステップを備える。
【００６２】
S２０１において、ＵＥは、アップリンクサブフレームにおける予定リソースを決定し、予定リソースは、非許可キャリア上の伝送リソースである。
【００６３】
S２０２において、ＵＥは、予定リソースにおいてアップリンク信号を伝送しないと決定する。
【００６４】
オプションとして、前記方法は、ＵＥがチャネルへアクセスしていない場合、予定リソースにおいてＬＢＴ動作を執行する。
【００６５】
または、ＵＥは、チャネルへアクセスした場合、基地局によりスケジューリングされたアップリンクリソースにおいてアップリンク信号を伝送する。
【００６６】
オプションとして、アップリンクサブフレームにおける予定リソースは、予め設定されたものである。
【００６７】
または、ＵＥは、基地局が半静的または動的モードにより送信したアップリンクサブフレームにおける予定リソースの通知を受信し、前記通知により、アップリンクサブフレームにおける予定リソースを決定する。
【００６８】
１実施例において、静的な設定方法を採用すれば、基地局は、（シグナリング指示なし）全部のアップリンクサブフレームまたはアップリンクサブフレームのある部分集合において（即ち、一部のアップリンクサブフレーム中）、ＬＢＴ動作の執行用のリソースを予定することを、ＵＥと約定する。具体的な１つの方法としては、予定されたＬＢＴ用のリソース所在のアップリンクサブフレームを約定することができる。当該サブフレームがＬＢＴサブフレーム（当該定義は全実施例に適用し、後述省略）と定義され、且つ、これら設定されたＬＢＴサブフレームにおける予定すべきＬＢＴ動作用のリソース（少なくとも位置とサイズを含む）を約定する。図８に示すように、基地局とＵＥは、Ｎ個のサブフレームごとに、ＬＢＴサブフレーム及びＬＢＴサブフレームにおける、ＬＢＴ用のリソースを設定し（勿論、非均一間隔でＬＢＴサブフレームを設定してもよく、ＬＢＴサブフレーム数は１つに限られず）、各ＵＥに採用されたTTI (Ｔｒａｎｓｍｉｓｓｉｏｎ Ｔｉｍｅ Ｉｎｔｅｒｖａｌ，伝送時間間隔)のサイズは１より大きいか、等しいか、小さい。当該説明は全実施例に適用し、後述に省略する）。採用されたＬＢＴがＬＢＴ ｃａｔｅｇｏｒｙ ２であれば、即ち、ＵＬ ｂｕｒｓｔを送信する前、１ＣＣＡ検査（他のアクセス方式を排除せず、説明した方法は、ｃａｔｅｇｏｒｙ ２以外の他のアクセス方式にも適用できる）のみを行い、設定されたＬＢＴリソースサイズは、好ましくは、整数個のＳＣ−ＦＤＭシンボル長であってもよく、非整数個のＳＣ−ＦＤＭシンボル長であってもよい。設定されたＬＢＴリソースは、設定されたＬＢＴサブフレームのヘッドに位置してもよく、ＬＢＴサブフレームのテールに位置してもよい。ＵＬ信号伝送の起点がサブフレーム境界に位置する場合、好ましくは、ＬＢＴサブフレームのテールが、アクセスする必要がある新ＵＥのために設定するＬＢＴ用のリソースであり、ＬＢＴサブフレームにおける信号伝送中のＵＥは、サブフレームテールに設定されたＬＢＴリソースにおいて、信号伝送を停止する必要があり、そして、つぎのサブフレームに対応するＵＬ ｇｒａｎｔを受信成功した全ＵＥは、対応のＬＢＴサブフレームのＬＢＴリソースにおいてＬＢＴ動作を執行し、チャネルへアクセスしたＵＥがアップリンク伝送を行う。ＵＬ信号伝送の起点がサブフレーム境界に位置しない場合、好ましくは、設定されたＬＢＴサブフレームのヘッドにＬＢＴリソースを設定することにより、設定されたＬＢＴサブフレームにおいて、スケジューリングさらた全ＵＥは、好ましくはサブフレームのヘッド設定されたＬＢＴリソースにおいて、信号を送信せず、ＬＢＴ動作を執行し、チャネルへアクセスしたＵＥは、アップリンク伝送を行う。ＬＢＴリソースは、ＬＢＴサブフレームヘッドまたはテールに位置する以外、サブフレームの他のところに位置してもよい。
【００６９】
１実施例において、半静的な設定方法が採用すれば、基地局は、非物理層シグナリングにより、全アップリンクサブフレームまたはアップリンクサブフレームのある部分集合において、ＬＢＴ動作の執行用のリソースを予定することを、半静的に指示する。具体的な１つの方法としては、非物理層シグナリングによりＵＥがＬＢＴ動作の執行用のアップリンクサブフレームを設定し、且つ、非物理層シグナリングによる指示及び/または予め約定する方法により、ＬＢＴサブフレームにおけるＬＢＴ用のリソース（少なくとも位置及びサイズを含む）を設定する。例えば、基地局は、Ｎ個のサブフレームごとに、ＬＢＴサブフレーム及びＬＢＴサブフレームにおけるＬＢＴ用のリソースを１回設定し、スケジューリングニーズに応じて、非均一間隔でＬＢＴサブフレームを設定してもよい。設定されたＬＢＴリソースサイズは葉、好ましくは、整数個のＳＣ−ＦＤＭシンボル長であってもよく、非整数個のＳＣ−ＦＤＭシンボル長であってもよい。設定されたＬＢＴリソースは、設定されたＬＢＴサブフレームのヘッドに位置してもよく、設定されたＬＢＴサブフレームのテールに位置してもよい。ＵＬ信号伝送の起点がサブフレーム境界に位置する場合、好ましくは、設定されたＬＢＴサブフレームのテールにＬＢＴリソースを設定し、ＬＢＴサブフレームにおける信号伝送中のＵＥは、サブフレームテールに設定されたＬＢＴリソースにおいて、信号伝送を停止する必要があり、そして、つぎのサブフレームに対応するＵＬ ｇｒａｎｔを受信成功したＵＥらは、設定されたＬＢＴサブフレームのＬＢＴリソースにおいてＬＢＴ動作を執行し、チャネルへアクセスしたＵＥは、アップリンク伝送を行う。ＵＬ信号伝送の起点がサブフレーム境界に位置しない場合、好ましくは、設定されたＬＢＴサブフレームのヘッドにＬＢＴリソースを設定する。こうして、設定されたＬＢＴサブフレームにおいてスケジューリングされた全ＵＥは、好ましくは、サブフレームのヘッドに設定されたＬＢＴリソースにおいて信号を送信せず、ＬＢＴ動作を執行し、チャネルへアクセスしたＵＥは、アップリンク伝送を行う。ＬＢＴリソースは、ＬＢＴサブフレームヘッド及びテールに位置する以外、ＬＢＴサブフレームにおけるたのところに位置してもよい。図９はより具体的な半静的な設定の例を示す。採用さらたＬＢＴがＬＢＴ ｃａｔｅｇｏｒｙ ２であると例を挙げ（他のアクセス方式を排除せず、説明した方法は、ｃａｔｅｇｏｒｙ ２以外の他のアクセス方式にも適用できる）、即ち、ＵＬ ｂｕｒｓｔの前に１ＣＣＡ検査のみを行い、高位層ＲＲＣ (Ｒａｄｉｏ Ｒｅｓｏｕｒｃｅ Ｃｏｎｔｒｏｌ，無線リソース制御)シグナリングにより、ＬＢＴサブフレームをＳＲＳ (Ｓｏｕｎｄｉｎｇ ｒｅｆｅｒｅｎｃｅ Ｓｙｍｂｏｌ)サブフレームとして設定することができ、即ち、ＬＢＴサブフレームの最後１つのＳＣ−ＦＤＭシンボルはデータ伝送に用いられず、基地局もSRSを本気でスケジューリングしない。即ち、ＬＢＴリソースは、ＬＢＴサブフレームの最後１つのＳＣ−ＦＤＭシンボルであり、スケジューリング成功したＵＥのチャネルへのアクセスに用いられる。
【００７０】
１実施例において、動的配置方法が採用されれば、基地局は、物理層シグナリングにより全アップリンクサブフレーム、または、アップリンクサブフレームのある部分集合においてＬＢＴ動作の執行用のリソースを予定することを、動的に指示する。
【００７１】
動的設定する実施例において、ＵＬ ｇｒａｎｔに１bitを追加することにより、今回ＵＬ ｇｒａｎｔのＰＵＳＣＨに、予定リソースが必要であるかを、ＵＥに通知する。(予定さらたシンボルリソース、例えば、最後の１つか、または、Ｎ個のシンボルか、直前の１つか、またはＮ個のシンボルが、全部適用する) 。
【００７２】
１可能の方法として、基地局は、物理層シグナリングにより、予定リソース所在のアップリンクサブフレームを動的に指示し、且つ、シグナリング指示及び/または予め約定の方法により、ＬＢＴサブフレームにおいてＬＢＴ動作用のリソースを設定する。基地局は、物理層シグナリングにより、予定リソース所在アップリンクサブフレームを動的に指示する好ましい方法は、動的シグナリングＵＬ ｇｒａｎｔにおいて１bitを追加することにより、今回ＵＬ ｇｒａｎｔのＰＵＳＣＨに、ＬＢＴ動作の執行用のリソースを予定する必要があるかを通知する。基地局は、スケジューリングニーズに応じて、均一間隔または非均一間隔でＵＬサブフレームにおいてＬＢＴサブフレーム及び当該ＬＢＴサブフレーム内のＬＢＴ用のリソースを設定し、設定されたＬＢＴリソースサイズが好ましくは、整数個のＳＣ−ＦＤＭシンボル長であってもよく、非整数個のＳＣ−ＦＤＭシンボル長であってもよい。設定されたＬＢＴリソースは、設定されたＬＢＴサブフレームのヘッドに位置してもよく、設定されたＬＢＴサブフレームのテールにに位置してもよい。ＵＬの信号伝送の起点がサブフレーム境界に位置する場合、好ましくは、設定されたＬＢＴサブフレームのテールにＬＢＴリソースを設定し、ＬＢＴサブフレームにおける信号伝送中のＵＥは、サブフレームテールに設定されたＬＢＴリソースにおいて、信号伝送を停止する必要があり、そして、つぎのサブフレームに対応するＵＬ ｇｒａｎｔを受信成功したＵＥらは、設定されたＬＢＴサブフレームのＬＢＴリソースにおいてＬＢＴ動作を執行し、チャネルへアクセスしたＵＥは、アップリンク伝送を行う。ＵＬ信号伝送の起点がサブフレーム境界に位置しない場合、好ましくは、設定されたＬＢＴサブフレームのヘッドにＬＢＴリソースを設定する。こうして、設定されたＬＢＴサブフレームにおいてスケジューリングされた全ＵＥ，好ましくは、サブフレームのヘッドに設定されたＬＢＴリソースにおいて信号を送信せず、ＬＢＴ動作を執行し、チャネルへアクセスしたＵＥは、アップリンク伝送を行う。 ＬＢＴリソースは、ＬＢＴサブフレームヘッド及びテールに位置する以外、ＬＢＴサブフレームにおけるたのところに位置してもよい。図１０はより具体的な動的な設定の例を示す。採用さらたＬＢＴがＬＢＴ ｃａｔｅｇｏｒｙ ４であると例を挙げ（他のアクセス方式を排除せず、説明した方法は、ｃａｔｅｇｏｒｙ ４以外の他のアクセス方式にも適用できる）、物理層PDCCHまたはePDCCHに搭載されたＵＬ ｇｒａｎｔで必要となるアップリンクサブフレームを、ＬＢＴサブフレームにに動的に設定する。信号の開始位置がサブフレーム境界であれば、ＬＢＴサブフレームの最後Ｍ個のＳＣ−ＦＤＭシンボルを、ＬＢＴ動作を執行することに用いられると、ＵＬ ｇｒａｎｔにより指示するか、予め約定する。アクセス成功したＵＥは、信号を伝送する。
【００７３】
ここで、本発明に係る実施例のＮ及びＭは、所定の正の整数である。
【００７４】
図に示すように、基地局側において、本発明の実施例に係るアップリンク伝送リソースのスケジューリング装置は、アップリンクサブフレームにおける予定リソースを決定し、予定リソースが非許可キャリア上の伝送リソースである予定ユニット１１と、ＵＥにアップリンクサブフレームにおける予定リソースの通知を送信する通知ユニット１２とを備える。
【００７５】
オプションとして、通知ユニットは、半静的または動的モードにより、ＵＥにアップリンクサブフレームにおける予定リソースの通知を送信する。
【００７６】
オプションとして、通知ユニットが半静的モードにより、ＵＥにアップリンクサブフレームにおける予定リソースの通知を送信する場合、通知ユニットは、非物理層シグナリングにより、ＵＥにアップリンクサブフレームにおける予定リソースの通知を送信する。
【００７７】
通知ユニットが動的モードによりＵＥにアップリンクサブフレームにおける予定リソースの通知を送信する場合、通知ユニットは、物理層シグナリングにより、ＵＥにアップリンクサブフレームにおける予定リソースの通知を送信する。
【００７８】
オプションとして、予定リソースは、ＵＥによるＬＢＴ動作に用いられる。
【００７９】
オプションとして、通知には、以下情報のうちの１つ、または、任意の組み合わせを含む。
【００８０】
＊ＵＥがアップリンクサブフレームにおいてリソースを予定すべきことを示す指示情報。
【００８１】
＊予定リソースの所在のアップリンクサブフレーム、及びアップリンクサブフレームにおける位置。
【００８２】
＊予定リソースを含むアップリンクサブフレームにおける予定リソースのサイズ。
【００８３】
オプションとして、予定リソースは、少なくとも１つのアップリンクサブフレームのヘッドまたはテールに位置する。
【００８４】
図１２に示すように、ＵＥ側において、本発明の実施例に係るアップリンク伝送装置は、アップリンクサブフレームにおける予定リソースを決定し、予定リソースが非許可キャリア上の伝送リソースである第１ユニット２１と、予定リソースにおいてアップリンク信号を伝送しないと決定する第２ユニット２２とを備える。
【００８５】
オプションとして、第２ユニットは、装置所属のＵＥがチャネルへアクセスしていない場合、予定リソースにおいてＬＢＴ動作を執行する。
【００８６】
または、装置所属のＵＥがチャネルへアクセスした場合、基地局によりスケジューリングされたアップリンクリソースにおいてアップリンク信号を伝送する。
【００８７】
オプションとして、第１ユニットにより決定されたアップリンクサブフレームにおける予定リソースは、予め設定されたものである。
【００８８】
または、第１ユニットは、基地局が半静的または動的モードにより送信したアップリンクサブフレームにおける予定リソースの通知を受信し、前記通知により、アップリンクサブフレームにおける予定リソースを決定する。
【００８９】
図１３に示すように、基地局側において、本発明の実施例に係る他のアップリンク伝送リソースのスケジューリング装置は、メモリ５２０に格納されたプログラムを読み出すプロセッサ５００と、プロセッサ５００の制御によりデータを送受信する送受信機５１０とを備える。
【００９０】
前記プロセッサ５００は、アップリンクサブフレームにおける予定リソースを決定し、予定リソースが非許可キャリア上の伝送リソースである。
【００９１】
また、送受信機５１０により、ＵＥにアップリンクサブフレームにおける予定リソースの通知を送信する。
【００９２】
オプションとして、プロセッサ５００は、送受信機５１０を介して、半静的または動的モードにより、ＵＥにアップリンクサブフレームにおける予定リソースの通知を送信する。
【００９３】
オプションとして、プロセッサ５００が送受信機５１０を介して半静的モードにより、ＵＥにアップリンクサブフレームにおける予定リソースの通知を送信する場合、プロセッサ５００は、送受信機５１０を介して非物理層シグナリングにより、ＵＥにアップリンクサブフレームにおける予定リソースの通知を送信する。
【００９４】
プロセッサ５００が送受信機５１０を介して、動的モードにより、ＵＥにアップリンクサブフレームにおける予定リソースの通知を送信する場合、プロセッサ５００は、送受信機５１０を介して、物理層シグナリングにより、ＵＥにアップリンクサブフレームにおける予定リソースの通知を送信する。
【００９５】
オプションとして、予定リソースは、ＵＥによるＬＢＴ動作に用いられる。
【００９６】
オプションとして、通知には、以下情報のうちの１つ、または、任意の組み合わせを含む。
【００９７】
＊ＵＥがアップリンクサブフレームにおいてリソースを予定すべきことを示す指示情報。
【００９８】
＊予定リソースの所在のアップリンクサブフレーム、及びアップリンクサブフレームにおける位置。
【００９９】
＊予定リソースを含むアップリンクサブフレームにおける予定リソースのサイズ。
【０１００】
オプションとして、予定リソースは、少なくとも１つのアップリンクサブフレームのヘッドまたはテールに位置する。
【０１０１】
図１３において、バスアーキテクチャは、いずれ数の相互接続するバス及びブリッジを備える。具体的に、プロセッサ５００が代表となる１つまたは複数のプロセッサ及びメモリ５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、複数の部品であることができ、即ち、送信機及び受信機を備え、伝送媒体を介して他の装置と通信するユニットを提供する。プロセッサ５００は、バズアーキテクチャ及び通常の処理を監視し、メモリ５２０は、プロセッサ８５００が動作する際に利用するデータを記憶することができる。
【０１０２】
図１４においてＵＥ側において、本発明の実施例に係る他のアップリンク伝送装置は、メモリ６２０に格納されたプログラムを読み出すプロセッサ６００と、プロセッサ６００の制御によりデータを送受信する送受信機６１０とを備える。
【０１０３】
前記プロセッサ６００は、アップリンクサブフレームにおける予定リソースを決定し、予定リソースは、非許可キャリア上の伝送リソースである。
【０１０４】
また、予定リソースにおいてアップリンク信号を伝送しないと決定する。
【０１０５】
オプションとして、プロセッサ６００は、装置所属のＵＥがチャネルへアクセスしていない場合、予定リソースにおいてＬＢＴ動作を執行する。
【０１０６】
または、装置所属のＵＥがチャネルへアクセスした場合、基地局によりスケジューリングされたアップリンクリソースにおいてアップリンク信号を伝送する。
【０１０７】
オプションとして、プロセッサ６００により決定されたアップリンクサブフレームにおける予定リソースは、予め設定されたものである。
【０１０８】
または、プロセッサ６００は、送受信機６１０を介して、基地局が半静的または動的モードにより送信したアップリンクサブフレームにおける予定リソースの通知を受信し、前記通知によりアップリンクサブフレームにおける予定リソースを決定する。
【０１０９】
図１４において、バスアーキテクチャは、いずれ数の相互接続するバス及びブリッジを備える。具体的に、プロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機８１０は、複数の部品であることができ、即ち、送信機及び受信機を備え、伝送媒体を介して他の装置と通信するユニットを提供する。異なるユーザー設備に対し、ユーザーインターフェース６３０は、外部接続または内部接続に必要な設備のインターフェースであることもできる。接続する設備は、キーパッド、ディスプレー、スピーカー、マイクロホン、ジョイスティック等を備えるが、これに限られない。プロセッサ６００は、バズアーキテクチャ及び通常の処理を監視し、メモリ６２０は、プロセッサ６００が動作する際に利用するデータを記憶することができる。
【０１１０】
よって、ＬＴＥ−ＵのＵＬ伝送において、スケジューリング柔軟性視点から、特に許可された最大チャネルへの占有時間が短く、ＵＬサブフレームが多い場合、ＵＥが時分割多重化を採用する必要がある。ＵＬ ｇｒａｎｔを受信したＵＥは、チャネルへアクセスしていなければ、アップリンクデータ伝送の前にＬＢＴ動作を執行すべきである。しかしながら、チャネルへアクセスした、信号伝送中のＵＥは、他のＵＥのアクセスへ妨害する。よって、基地局がＵＥのためにＬＢＴ動作用のサブフレーム及びＬＢＴリソースを設定する必要があり、これは、ＬＢＴリソースがＬＢＴサブフレームのどこに位置するかに関係ない。従来技術が実施案をまだ案出していない代わりに、本発明に係る実施例の手段は、非許可周波帯におけるＬＴＥアップリンクの柔軟の時分割多重化を実現することができる。
【０１１１】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【図１】
2018528721.tif 000003
【図２】
2018528721.tif 000004
【図３】
2018528721.tif 000005
【図４】
2018528721.tif 000006
【図５】
2018528721.tif 000007
【図６】
2018528721.tif 000008
【図７】
2018528721.tif 000009
【図８】
2018528721.tif 000010
【図９】
2018528721.tif 000011
【図１０】
2018528721.tif 000012
【図１１】
2018528721.tif 000013
【図１２】
2018528721.tif 000014
【図１３】
2018528721.tif 000015
【図１４】
2018528721.tif 000016
【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
基地局は、アップリンクサブフレームにおける予定リソースを決定するステップであって、前記予定リソースは、非許可キャリア上の伝送リソースであるステップと、
前記基地局は、ＵＥに前記アップリンクサブフレームにおける予定リソースの通知を送信するステップとを備えることを特徴とするアップリンク伝送リソースのスケジューリング方法。
【請求項２】
前記基地局は、半静的または動的モードにより、ＵＥに前記アップリンクサブフレームにおける予定リソースの通知を送信することを特徴とする請求項１に記載のアップリンク伝送リソースのスケジューリング方法。
【請求項３】
前記基地局が、ＵＥに前記アップリンクサブフレームにおける予定リソースの通知を送信するステップは、
前記基地局が半静的モードにより、ＵＥに前記アップリンクサブフレームにおける予定リソースの通知を送信する場合、前記基地局は、非物理層シグナリングにより、ＵＥに前記アップリンクサブフレームにおける予定リソースの通知を送信し、
前記基地局が動的モードによりＵＥに前記アップリンクサブフレームにおける予定リソースの通知を送信する場合、前記基地局は、物理層シグナリングにより、ＵＥに前記アップリンクサブフレームにおける予定リソースの通知を送信することを特徴とする請求項２に記載のアップリンク伝送リソースのスケジューリング方法。
【請求項４】
前記予定リソースは、ＵＥによるＬＢＴ動作に用いられることを特徴とする請求項１に記載のアップリンク伝送リソースのスケジューリング方法。
【請求項５】
前記通知には、ＵＥがアップリンクサブフレームにおいてリソースを予定すべきことを示す指示情報と、
前記予定リソースの所在のアップリンクサブフレーム、及びアップリンクサブフレームにおける位置と、
予定リソースを含むアップリンクサブフレームにおける予定リソースのサイズと
のうちの１つまたは、任意の組み合わせが含まれることを特徴とする請求項１に記載のアップリンク伝送リソースのスケジューリング方法。
【請求項６】
前記予定リソースは、少なくとも１つのアップリンクサブフレームのヘッドまたはテールに位置することを特徴とする請求項１に記載のアップリンク伝送リソースのスケジューリング方法。
【請求項７】
ＵＥは、アップリンクサブフレームにおける予定リソースを決定するステップであって、前記予定リソースは、非許可キャリア上の伝送リソースである前記決定ステップと、
前記ＵＥは、前記予定リソースにおいてアップリンク信号を伝送しないと決定するステップとを備えることを特徴とするアップリンク伝送方法。
【請求項８】
前記ＵＥは、チャネルへアクセスしていない場合、前記予定リソースにおいてＬＢＴ動作を行うか、
または、前記ＵＥは、チャネルへアクセスした場合、基地局によりスケジューリングされたアップリンクリソースにおいてアップリンク信号を伝送することを特徴とする請求項７に記載のアップリンク伝送方法。
【請求項９】
前記アップリンクサブフレームにおける予定リソースは、予め設定されたものであり、
または、前記ＵＥは、基地局が半静的または動的モードにより送信した前記アップリンクサブフレームにおける予定リソースの通知を受信し、前記通知により、前記アップリンクサブフレームにおける予定リソースを決定することを特徴とする請求項７に記載のアップリンク伝送方法。
【請求項１０】
アップリンクサブフレームにおける予定リソースを決定し、前記予定リソースが非許可キャリア上の伝送リソースである予定ユニットと、
ＵＥに前記アップリンクサブフレームにおける予定リソースの通知を送信する通知ユニットとを備えることを特徴とするアップリンク伝送リソースのスケジューリング装置。
【請求項１１】
前記通知ユニットは、半静的または動的モードにより、ＵＥに前記アップリンクサブフレームにおける予定リソースの通知を送信することを特徴とする請求項１０に記載のアップリンク伝送リソースのスケジューリング装置。
【請求項１２】
前記通知ユニットは、
半静的モードにより、ＵＥに前記アップリンクサブフレームにおける予定リソースの通知を送信する場合、前記通知ユニットは、非物理層シグナリングにより、ＵＥに前記アップリンクサブフレームにおける予定リソースの通知を送信し、
動的モードにより、ＵＥに前記アップリンクサブフレームにおける予定リソースの通知を送信する場合、前記通知ユニットは、物理層シグナリングにより、ＵＥに前記アップリンクサブフレームにおける予定リソースの通知を送信することを特徴とする請求項１１に記載のアップリンク伝送リソースのスケジューリング装置。
【請求項１３】
前記予定リソースは、ＵＥによるＬＢＴ動作に用いられることを特徴とする請求項１０に記載のアップリンク伝送リソースのスケジューリング装置。
【請求項１４】
前記通知には、
ＵＥがアップリンクサブフレームにおいてリソースを予定すべきことを示す指示情報と、
前記予定リソースの所在のアップリンクサブフレーム、及びアップリンクサブフレームにおける位置と、
予定リソースを含むアップリンクサブフレームにおける予定リソースのサイズと
のうちの１つまたは、任意の組み合わせが含まれることを特徴とする請求項１０に記載のアップリンク伝送リソースのスケジューリング装置。
【請求項１５】
前記予定リソースは、少なくとも１つのアップリンクサブフレームのヘッドまたはテールに位置することを特徴とする請求項１０に記載のアップリンク伝送リソースのスケジューリング装置。
【国際調査報告】
2018528721.tif 000017
2018528721.tif 000018
2018528721.tif 000019
2018528721.tif 000020